(57)【特許請求の範囲】
【請求項１】
把持可能のハンドル本体と、
前記ハンドル本体の下方にてかばん類本体の上端部上に固定されるベースと、
前記ハンドル本体の左右両端部から前記ベースを経て前記かばん類本体内に垂下される支持部にそれぞれ吊持される左右一対のホルダーと、
これら左右一対のホルダーを上下方向に変位可能にそれぞれ収容し、かつ前記かばん類本体の上端部上の前記ベースに前記上端部を経て固定される左右一対のポストと、
これら左右一対のホルダー及びポストのセパレートされた自由端にそれぞれ固定される歪み可能の歪みプレートと、
これら歪みプレートにそれぞれ固着されてこれら歪みプレートの歪みを検出する左右一対の歪みゲージと、
これら左右一対の歪みゲージによりそれぞれ検出された検出値を重量に換算して表示部に表示する表示装置と、
を具備していることを特徴とする重量計測ハンドル装置。
【請求項２】
前記ハンドル本体の左右端部の各支持部に突設されたガイドピンと、前記ホルダー及びポストにそれぞれ形成され、このガイドピンを移動可能に挿通させてこのガイドピンの移動を案内するガイド孔とを有し、前記ハンドル本体を上方に持ち上げたときに、このハンドル本体の左右端部が相互に接近するように前記ガイドピンの移動を案内するガイド機構を具備していることを特徴とする請求項１記載の重量計測ハンドル装置。
【請求項３】
前記表示装置は、前記表示部に表示される重量等の情報の表示モードを切換える表示切換操作部を具備していることを特徴とする請求項１または２記載の重量計測ハンドル装置。
【請求項４】
前記かばん類本体の内側で前記左右一対のポストの外面をそれぞれ被覆し、これらポストと共締めにより前記かばん類本体に固定される裏箱を具備していることを特徴とする請求項１から３のいずれか１項に記載の重量計測ハンドル装置。
【請求項５】
前記請求項１から４のいずれか１項に記載の重量計測ハンドル装置を具備していることを特徴とするかばん類。
【発明の詳細な説明】
【技術分野】
【０００１】
本発明の実施形態は、重量計測ハンドル装置およびこれを具備したかばん類に関する。
【背景技術】
【０００２】
一般に航空機に搭乗する場合は、スーツケース等のかばん類について、機内持込み可能のサイズや搭乗者一人当りの重量が予め定められており、サイズや重量が所定値をオーバーしている場合には、搭乗手続カウンター等で超過料金が加算される場合がある。したがって、かばん類のサイズや重量は所定値以内であることが望ましい。
【０００３】
また、かばん類の重量については、搭乗手続カウンター等で計測される前、例えば自宅等で旅行に携行する物をかばん類に詰め込むときに、かばん類全体の重量が予め簡単に分かれば、かかる携行物を調整することにより超過料金の課金を免れることができる等、便利である。
【０００４】
このために、従来からかばん類の重量計測装置が提案されている（例えば、特許文献１参照）。
【先行技術文献】
【特許文献】
【０００５】
【特許文献１】実用新案登録第３１８５３９３号公報
【発明の概要】
【発明が解決しようとする課題】
【０００６】
しかしながら、この特許文献１記載の発明では、かばん類の重量計測精度が低いうえに、その計測方法が容易ではないという課題がある。
【０００７】
すなわち、このような従来の発明は、かばんの一側面に設けた複数、例えば４個の底足である押圧突起２２に、第１〜第４圧力センサ１７ａ〜１７ｄをそれぞれ設け、これら４個の底足を床面に接地させることにより、第１〜第４圧力センサ１７ａ〜１７ｄからの圧力信号に基づいてかばん自体の重量を検出し表示するものである。
【０００８】
つまり、４個の底足にそれぞれ分散されたかばん類の荷重を合算することにより、かばん全体の重量を検出するものである。
【０００９】
したがって、４個の底足（押圧突起２２）が接地する床面が傾斜している場合、または床面が平坦ではないために、４個の底足の少なくともいずれかが接地していない場合には、かばん全体の総重量を正確に検出し表示することができない。
【００１０】
また、上記特許文献１には、圧力センサは１個でもよいとする記述もあるが、この場合、仮に４個の底足（押圧突起２２）のうちの１個に１個の圧力センサを設ける場合には、圧力センサを設けた１個の底足に分散された荷重のみしか検出することができず、かばん全体の重量を正確に検出することができない。
【００１１】
そこで、今度は１個の圧力センサを設ける底足を１個にする場合には、かばん全体の荷重を、この１個の底足により支持するので、かばんの床面載置状態が不安定になる。
【００１２】
さらに、上述したように圧力センサ１７ａ〜１７ｄを複数設ける場合には、これらを給電分岐部１６ａ、信号演算部１６ｂにそれぞれ電気的に接続するリード線の本数が多くなり、その配線を狭いかばん内で配線する作業が煩雑であり、その分、かばん組立作業性が低下するという課題もある。特に、この配線はかばんの本体と蓋とを開閉可能に蝶着するヒンジに跨って、その両側に配線されるので、配線作業性はさらに低下する。
【００１３】
そして、例えばかばんがその底部等にキャスターを配設している型式の場合には、これらキャスターを配設していないかばんの側面に圧力センサ付きの底足を配設しなければならない。
【００１４】
このために、かばんの重量を計測するためには、かばんの側面の底足を床面に接地させるようにかばんを横倒しする必要がある。かばんが重い場合にはその横倒しも容易ではなく、非力な女性や子供にとっては必ずしも容易ではないうえに、収納物がかばん内で横倒する、という不具合もある。
【００１５】
本発明が解決しようとする課題は、かばん類の重量を簡単かつ高精度に計測することができる重量計測ハンドル装置およびこれを具備したかばん類を提供することにある。
【課題を解決するための手段】
【００１６】
実施形態の重量計測ハンドル装置は、把持可能のハンドル本体と、前記ハンドル本体の下方にてかばん類本体の上端部上に固定されるベースと、前記ハンドル本体の左右両端部から前記ベースを経て前記かばん類本体内に垂下される支持部にそれぞれ吊持される左右一対のホルダーと、これら左右一対のホルダーを上下方向に変位可能にそれぞれ収容し、かつ前記かばん類本体の上端部上の前記ベースに前記上端部を経て固定される左右一対のポストと、これら左右一対のホルダー及びポストのセパレートされた自由端にそれぞれ固定される歪み可能の歪みプレートと、これら歪みプレートにそれぞれ固着されてこれら歪みプレートの歪みを検出する左右一対の歪みゲージと、これら左右一対の歪みゲージによりそれぞれ検出された検出値を重量に換算して表示部に表示する表示装置と、を具備している。
【発明の効果】
【００１７】
本実施形態によれば、ハンドル本体を持ち上げるだけでかばん類全体の重量を歪みゲージにより検出し、表示装置の表示部に表示させることができる。
【図面の簡単な説明】
【００１８】
【図１】実施形態に係る重量計測ハンドル装置の歪みプレート周辺部を示す要部斜視図。
【図２】図１で示す重量計測ハンドル装置を具備したかばんの正面図。
【図３】図２で示すかばんの要部平面図。
【図４】図３で示す重量計測ハンドル装置の正面図。
【図５】図４で示す裏箱を取り外した後の重量計測ハンドル装置の正面図。
【図６】図５で示す重量計測ハンドル装置の底面図。
【図７】図２〜図６で示すハンドル本体とこれに吊持された左右一対のホルダー等の正面図。
【図８】図７の一部を切り欠いて縦断面で示す一部切欠正面図。
【図９】（ａ）は図２〜図７等で示すハンドル本体を図中上方へ持ち上げたときの左側のポストのガイドピンの移動を示す要部拡大正面図、（ｂ）は同，右側のポストのガイドピンの移動を示す要部拡大正面図。
【図１０】図２〜図７で示すハンドル本体を図中上方へ持ち上げたときの左右のホルダーのガイドピンの移動を示す一部切欠き要部拡大正面図。
【発明を実施するための形態】
【００１９】
以下、本実施形態を図面を参照して説明する。なお、複数の図面中、同一または相当部分には同一符号を付している。
【００２０】
図２は本実施形態に係るかばん類の一例であるスーツケースの正面図である。このスーツケース１は、有底角筒状のスーツケース本体と、この本体とほぼ同形同大または若干扁平の蓋体の開口端部の一辺部同士を複数のヒンジにより開閉可能に連結してなる金属製または合成樹脂製の剛性を有する角筒状のシェル２をかばん類本体の一例として具備している。
【００２１】
スーツケース１は、このシェル２の図２中、上端部２ａに重量計測ハンドル装置３を設ける一方、シェル２の底部２ｂに複数のキャスター４，４，…を設け、走行可能に構成されている。
【００２２】
また、シェル２はその一側面（図２では左側面）２ｃの長手方向中間部にサイドハンドル５を設け、その他側面（図２では右側面）２ｄの各角部とその中央部等に弾性を有する複数の底足６，６，…を設けている。
【００２３】
図３〜図１０に示すように、重量計測ハンドル装置３は、熱可塑性エラストマー等の合成樹脂製帯板状のハンドル本体３ａ、このハンドル本体３ａの長手方向両端部、すなわち、図中、左右両端部の下方にてシェル２の上端部２ａ上にそれぞれ固定される金属製または合成樹脂製平板状の左右一対のベース３ｂ，３ｃを具備している。
【００２４】
これら左右一対のベース３ｂ，３ｃの一方（図３〜図６では左側）３ｂには、表示装置７の合成樹脂製または金属製平板状の基板７ａを一体または別体により設けている。この基板７ａはシェル２の上端面２ａの図中左端部上に固定される。
【００２５】
図４〜図７等に示すように、上記ハンドル本体３ａは、図中、若干上方へ凸に湾曲した円弧状帯板により形成され、その長手方向中間部の厚さを左右両端部よりも次第に厚くなるように形成して、人手により握り易い幅と形状に形成されている。ハンドル本体３ａはシェル２の上端面２ａに対し低い位置に配設され、ハンドル本体３ａの上端までを含めたスーツケース１全体の高さの低減を図っている。
【００２６】
図８に示すようにハンドル本体３ａは、その左右両端部下面に、図中シェル２のかばん本体内に垂下する舌片状の左右一対の支持部３ｄ，３ｅを一体に連成している。これら各支持部３ｄ，３ｅは、その正面ほぼ中央部に、その厚さ方向に貫通する貫通孔３ｆ，３ｆをそれぞれ形成し、これら各貫通孔３ｆ内に円柱状のガイドピン３ｇ，３ｇをそれぞれ抜脱可能に挿通している。これら各ガイドピン３ｇは、その軸方向両端部を各支持部３ｄ，３ｅの正面と背面方向外方へ所定長突出させている。
【００２７】
図７，図８に示すように、ハンドル本体３ａは、その左右一対の支持部３ｄ，３ｅにより左右一対のホルダー３ｈ，３ｈを吊持している。これら各ホルダー３ｈは無底有蓋角筒状のホルダー本体３ｈａを有し、この各ホルダー本体３ｈａの上蓋には支持部３ｄ，３ｅを挿通させる横長の挿通孔３ｈｂを形成している。
【００２８】
そして、各ホルダー３ｈは、ガイド機構３ｉを具備している。このガイド機構３ｉはホルダー本体３ｈａの正面と背面の両面（図７，図８では図面の表裏方向両面）に、ほぼ三角形の第１ガイド孔３ｈｃを形成している。これら各第１ガイド孔３ｈｃは、各ガイドピン３ｇの軸方向両端部をそれぞれ挿通させて外方へ突出させ、ハンドル本体３ａが図中上方へ持ち上げられたときに、左右一対のガイドピン３ｇ，３ｇの移動方向を相互に接近する方向に案内する。
【００２９】
そして、各ホルダー３ｈは、そのホルダー本体３ｈａの自由端である底部開口端に、金属製平板状の歪みプレート３ｊを複数の止めねじ３ｋによりねじ止め固定している。
【００３０】
図１，図６に示すように、各歪みプレート３ｊは、その図１中上面（図７，図８では下面）のほぼ中央部に、矩形平板状の歪みゲージ３ｌを接着剤により固着しており、各止めねじ３ｋ，３ｋの周囲には、その外周を囲むようにほぼＵ字状の切欠き３ｍ，３ｍをそれぞれ形成して、歪みプレート３ｊの変形時の変形量の増大を図っている。各歪みゲージ３ｌは金属歪みゲージや半導体歪みゲージ等であり、歪みプレート３ｊの歪みを検出し得るものであればよい。図１に示すように、歪みプレート３ｊはＵ字状切欠き３ｍ，３ｍの内側で止めねじ３ｋ，３ｋによりホルダー３ｈの自由端に固定され、歪みプレート３ｊのＵ字状切欠き３ｍ，３ｍの外周側で止めねじ等によりポスト３ｐの自由端に固定される。
【００３１】
左右一対の歪みゲージ３ｌ，３ｌにはリード線３ｎがそれぞれ接続され、これら左右一対のリード線３ｎ，３ｎ同士はコネクタ３ｏにより着脱可能に接続されている。各リード線３ｎは後述するボタン電池からの直流電力を各歪みゲージ３ｌに給電する給電線と、各歪みゲージ３ｌからの歪み検出信号を、後述する表示装置７へ伝送する信号線を具備している。
【００３２】
そして、左右一対のホルダー３ｈ，３ｈは歪みプレート３ｊ，３ｊをそれぞれ取り付ける前に、図５等で示す角筒状の左右一対のポスト３ｐ，３ｐ内に図中上下方向に変位可能に収容されている。
【００３３】
左右一対のポスト３ｐ，３ｐは軸方向（図５中上下方向）両端が開口され、その開口上端がシェル２の上端部２ａ（の開口）を経て、図中下面に密着した状態で左右一対のベース３ｂ，３ｃに後述する複数の共締めねじ３ｑ，３ｑ，…により固定される。このために、各ポスト３ｐの両側部には各共締めねじ３ｑを挿通させる挿通孔を形成したボス部３ｒを一体に形成している。
【００３４】
図５に示すように各ポスト３ｐは、その正面と背面の両面（図５では図面の表裏方向両面）に、上記第１ガイド孔３ｈｃとほぼ同形同大の第２ガイド孔３ｐａをほぼ同位置に形成し、ガイドピン３ｇの軸方向両端部をこの第２ガイド孔３ｐａを挿通させて外方へ若干突出させている。具体的には、図５に示すように、各ホルダ３ｈの第１ガイド孔３ｈｃは各ポスト３ｐの第２ガイド３ｐａより若干小形状に構成されている。
【００３５】
この第１，第２ガイド孔３ｈｃ，３ｐａとガイドピン３ｇ，３ｇとによりガイド機構３ｉを構成している。このガイド機構３ｉはハンドル本体３ａを握って上方へ持ち上げたときに、このハンドル本体３ａの左右両端部が互いに接近するように、左右一対の支持部３ｄ，３ｅの移動を案内する。
【００３６】
また、図１，図６に示すように各ポスト３ｐは、その自由端（図中下端）に、各ホルダー３ｈの開口下端の外側にて止めねじ等により歪みプレート３ｊを固着している。すなわち、歪みプレート３ｊはセパレートされた各ホルダー３ｈと各ポスト３ｐとの両開口下端にそれぞれ固着されている。
【００３７】
そして、重量計測ハンドル装置３は、図４で示す裏箱３ｓを具備している。この裏箱３ｓはシェル２の上端部２ａの内面（図４では下面）に密着して固定される長円形のフランジ部３ｓａを有する。このフランジ部３ｓａは長円状の開口部の外周縁部に外向きフランジをほぼ全周に亘って一体に形成している。
【００３８】
また、裏箱３ｓは上記左右一対のポスト３ｐ，３ｐの外面をそれぞれ被覆する有底角筒状の左右一対のポスト被覆部３ｓｂ，３ｓｃと、これら左右一対のポスト被覆部３ｓｂ，３ｓｃ同士を一体に連結する連結部３ｓｄとを有し、これら３ｓｂ，３ｓｃ，３ｓｄの上端部をフランジ部３ｓａに一体に連成している。
【００３９】
さらに、裏箱３ｓは、表示装置７の基板７ａからシェル２の内側へ突出する箱状の表示装置７の内ケース７ｂの外周側面を被覆する表示装置被覆部３ｓｅをフランジ部３ｓａに一体に連成している。
【００４０】
すなわち、裏箱３ｓは、複数の共締めねじ３ｑ，３ｑ，…により左右一対のベース３ｂ，３ｃと、表示装置７の基板７ａの図示省略のねじ孔にねじ込まれて共締めされることにより、スーツケース１のシェル２の上端部２ａに固定される。
【００４１】
図５に示すように表示装置７はその内ケース７ｂ内に、表示装置７等の電源となるボタン電池等の電池を収容する電池ボックスを形成し、この電池ボックスの側面に開閉リッド７ｃを形成しており、この開閉リッド７ｃを開けることにより、電池ボックス内の電池交換等を行うことができる。内ケース７ｂの図４中、左端外側面には、共締めねじ３ｑを挿通させる挿通孔を形成したボス部３ｔを一体に連成しており、このボス部３ｔを被覆する裏箱３ｓの底部にはこの共締めねじ３ｑを挿通させる透孔３ｕを形成している。
【００４２】
表示装置７は上記左右一対の歪みゲージ３ｌ，３ｌと電気的に接続される図示省略のマイクロプロセッサを具備している。このマイクロプロセッサは、ＲＯＭやＲＡＭ等のメモリと、各部を統括制御するＣＰＵを有し、左右一対の歪みゲージ３ｌ，３ｌにより検出された両歪み検出値同士を加算して全体の歪み検出値を算出し、この全体の歪み検出値により歪み検出値−重量換算用データテーブルを参照して重量に換算し、表示部７ｄにスーツケース１全体の重量として表示する機能を有する。この重量換算用のデータは歪み検出値と重量との相対関係を求める実験を予め実施することにより得られ、データテーブルとしてＲＡＭに記録される。制御プログラムはＲＯＭに記録されている。ＣＰＵはこの制御プログラムを読み出し、実行することにより、左右一対の歪みゲージ３ｌ，３ｌにより検出された検出値同士を加算してから重量換算用データテーブルを参照して重量に換算し、表示部７ｄに表示する。
【００４３】
図３に示すように表示装置７は、その基板７ａの上面上に液晶ディスプレイ等の表示部７ｄ、電源ボタン７ｅ、表示モード切換操作部の一例である表示モード切換ボタン７ｆを設けている。
【００４４】
電源ボタン７ｅは、押す毎にＯＮ，ＯＦＦを繰り返すトグルボタンにより構成されている。表示モード切換ボタン７ｆは、重量表示中にワンプッシュ毎に、例えば、「ｋｇ」，「ポンド」、「オンス」、「貫」、「両」等の重量単位の表示を順次切り換える機能を有する。さらに、この重量表示中に、例えば所定秒以上の長押しにより、これら表示の向きを縦方向または横方向に変更するモード切換表示に切り換える機能を有する。なお、この重量単位表示と表示方向とをそれぞれ切り換える切換ボタンをそれぞれ別々に設けてもよい。
次に、本実施形態の作用を説明する。
【００４５】
まず、スーツケース１の重量を計測する場合は、図３に示すように、表示装置７の電源ボタン７ｅを押してＯＮにする。この後、ハンドル本体３ａを握って上方へ持ち上げ、各キャスター４を接地床面から上方へ持ち上げる。
【００４６】
すると、図９（ａ），（ｂ）に示すように、ハンドル本体３ａの左右一対の支持部３ｄ，３ｅに突設された各ガイドピン３ｇがほぼ三角形の第１，第２ガイド孔３ｈｃ，３ｐａの開口周縁部に沿ってハンドル本体３ａの図中左右端部が互いに接近するように内側へ案内される。具体的には、各ガイドピン３ｇは、第１ガイド孔３ｈｃの開口縁部を摺動し、かつ第２ガイド孔３ｐａの開口周縁部に沿って案内される。
【００４７】
これにより、ハンドル本体３ａの長手方向中間部が、上方へ向けて大きく弾性的に湾曲してハンドル本体３ａを持ち易くなり、左右一対のホルダー３ｈ，３ｈが上方へ吊持される。
【００４８】
このために、スーツケース１全体がハンドル本体３ａにより吊持されるので、このスーツケース１全体の荷重が左右一対の支持部３ｄ，３ｅ、ガイドピン３ｇ，３ｇ、ホルダー３ｈ，３ｈおよびポスト３ｐ，３ｐを介して左右一対の歪みプレート３ｊ，３ｊにそれぞれ負荷される。この歪みプレート３ｊ，３ｊは上下方向に変位可能の左右一対のホルダー３ｈ，３ｈと、シェル２に固定されている左右一対のポスト３ｐ，３ｐの両者に固定されているので、各歪みプレート３ｊには歪みがそれぞれ発生する。
【００４９】
これら歪みは左右一対の歪みゲージ３ｌ，３ｌにより検出される。これら両歪み検出値同士は表示装置７のマイクロプロセッサにより加算され、その後、重量に換算されてスーツケース１全体の重量として表示部７ｄに表示される。
【００５０】
したがって、この重量計測ハンドル装置３によれば、表示装置７の電源ボタン７ｅを押して電源をＯＮにしてから、ハンドル本体３ａを握って単にスーツケース１を床面から上方へ持ち上げることにより、このスーツケース１の重量を簡単かつ迅速に計測し、表示部７ｄに表示することができる。すなわち、従来例のように重いスーツケース１を横倒しして重量を計測する必要がないので、その計測を簡単かつ迅速に行うことができる。
【００５１】
しかも、ハンドル本体３ａの左右両側端部側に設けた左右一対の歪みゲージ３ｊ，３ｊにより歪みを検出するので、その一端側のみに歪みゲージ３ｌを設ける場合に比して歪み検出精度と検出速度の向上を共に図ることができる。
【００５２】
また、各歪みゲージ３ｌが小型軽量であるので、これを具備する重量計測ハンドル装置３全体としても、小型軽量化を図ることができる。
【００５３】
そして、この重量計測ハンドル装置３によれば、スーツケース１のシェル２を介してハンドル本体３ａの左右一対のベース３ｂ，３ｃに、裏箱３ｓを共締めにより固定することにより、スーツケース１に重量計測ハンドル装置３を簡単かつ迅速に取り付けることができる。このために、かばん組立工場側で重量計測ハンドル装置３をスーツケース１に取り付ける作業の作業性の向上を図ることができる。
【００５４】
また、表示モード切換ボタン７ｆによりスーツケース１の重量を外国でも使用される任意の重量単位に切り換えて適宜表示することができるので、世界汎用性の向上を図ることができる。
【００５５】
さらに、表示部７ｄの重量表示の向きを縦，横方向に適宜切り換えることができるので、表示部７ｄを縦方向または横方向のいずれから目視しても視認し易い。このために重量表示の誤認を低減できる。
【００５６】
さらにまた、歪みプレート３ｊに切欠き３ｍを形成して歪み易く形成しているので、歪み検出精度の向上を図ることができる。また、この重量計測ハンドル装置３によれば、そのハンドル本体３ａや表示部７ｄ以外の殆どの部材をスーツケース２のシェル２ａ内に収納してシェル２の上端面２ａ上に突出する突出高さの低減を図っているので、スーツケース２の高さ等の外形サイズを航空機機内持込みサイズに容易に構成できる。
【００５７】
さらに、左右一対のポスト３ｐ，３ｐに固定され、かつ歪みゲージ３ｌを設けた歪みプレート３ｊの外面を、シェル２の内側において、裏箱３ｓにより被覆するので、シェル２内に収容された収容物が歪みゲージ３ｌに衝当して破損させることを未然に防止できる。
【００５８】
なお、上記実施形態では、サイドハンドル５、複数の底足６，６，…を具備したスーツケース１に重量計測ハンドル装置３を配設した場合について説明したが、本発明はこれに限定されず、サイドハンドル５や底足６，６，…を具備していないスーツケース等のかばん類にも適用することができる。また、キャスター４，４，…を具備していないスーツケースやキャリーハンドルを有するキャリーバッグ等のかばん類であっても適用できる。
【００５９】
また、上記実施形態では、歪みゲージ３ｌを左右一対設けた場合について説明したが、本発明は、その一方を省略してもよい。その場合は、一方の歪みゲージ３ｌにより検出された歪み検出値をスーツケース１全体の重量に換算するためのデータテーブルや計算式等の重量換算手段を設ける。
【００６０】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００６１】
１…スーツケース、２…シェル（かばん類本体）、３…重量計測ハンドル装置、３ａ…ハンドル本体、３ｂ，３ｃ…左右一対のベース、３ｄ，３ｅ…左右一対の支持部、３ｇ…ガイドピン、３ｈ…左右一対のホルダー、３ｈｃ…第１ガイド孔、３ｉ…ガイド機構、３ｊ…歪みプレート、３ｌ…歪みゲージ、３ｐ，３ｐ…左右一対のポスト、３ｐａ…第２ガ
イド孔、３ｑ，３ｑ…共締めじねじ、３ｓ…裏箱、７…表示装置、７ｄ…表示部、７ｆ…表示モード切換ボタン。
【図１】
0006383718.tif 000002
【図２】
0006383718.tif 000003
【図３】
0006383718.tif 000004
【図４】
0006383718.tif 000005
【図５】
0006383718.tif 000006
【図６】
0006383718.tif 000007
【図７】
0006383718.tif 000008
【図８】
0006383718.tif 000009
【図９】
0006383718.tif 000010
【図１０】
0006383718.tif 000011